(57)【要約】  ＷＬＡＮインターワーキングのための移動通信ネットワークにおけるＷＬＡＮ情報伝送装置及び方法が提供される。本発明は、セル内のＷＬＡＮ地域が存在するか否かを判断するためのＷＬＡＮしきい値及び測定周期をシステム情報に設定するステップと、システム情報をセル内にブロードキャストするステップと、セル内にＷＬＡＮ地域が存在することを示す共通パイロットチャンネルを、ＷＬＡＮ地域をカバーする送信電力及び方向にビームフォーミングを用いて伝送するステップとを含む。
2008508832.tif 000002
【特許請求の範囲】
【請求項１】
ＷＬＡＮインターワーキングのための移動通信ネットワークにおけるＷＬＡＮ情報伝送方法であって、
セル内のＷＬＡＮ地域が存在するか否かを判断するためのＷＬＡＮしきい値及び測定周期をシステム情報に設定するステップと、
前記システム情報をセル内にブロードキャストするステップと、
前記セル内に前記ＷＬＡＮ地域が存在することを示す共通パイロットチャンネルを、前記ＷＬＡＮ地域をカバーする送信電力及び方向にビームフォーミングを用いて伝送するステップとを含むことを特徴とする、方法。
【請求項２】
前記システム情報は、ＷＬＡＮスキャニング指示情報が伝送される前記共通パイロットチャンネルのコード情報及び前記共通パイロットチャンネルの測定周期をさらに含むことを特徴とする、請求項１に記載の方法。
【請求項３】
前記システム情報は、前記ＷＬＡＮ地域の周波数情報、識別子及びシステム識別子を含む前記ＷＬＡＮ地域の詳細情報を含むことを特徴とする、請求項１に記載の方法。
【請求項４】
前記ＷＬＡＮ地域の周波数情報、識別子及びシステム識別子を含む前記ＷＬＡＮ地域の詳細情報を、前記ＷＬＡＮ地域をカバーする送信電力及び方向にビームフォーミングを用いて伝送するステップをさらに含むことを特徴とする、請求項１に記載の方法。
【請求項５】
前記システム情報は、前記ＷＬＡＮ地域の詳細情報を伝送するチャンネルのコード情報をさらに含むことを特徴とする、請求項４に記載の方法。
【請求項６】
ＷＬＡＮインターワーキングのための移動通信ネットワークにおけるＷＬＡＮ情報伝送方法であって、
セル内のＷＬＡＮ地域が存在するか否かを判断するためのＷＬＡＮしきい値をシステム情報に設定するステップと、
前記システム情報をセル内にブロードキャストするステップと、
前記セル内に前記ＷＬＡＮ地域が存在することを示す共通パイロットチャンネルを、前記ＷＬＡＮ地域をカバーする送信電力で伝送するステップとを含むことを特徴とする、方法。
【請求項７】
前記システム情報は、ＷＬＡＮスキャニング指示情報が伝送される前記共通パイロットチャンネルのコード情報及び前記共通パイロットチャンネルの測定周期を含むことを特徴とする、請求項６に記載の方法。
【請求項８】
前記システム情報は、前記ＷＬＡＮ地域の周波数情報、識別子及びシステム識別子を含む前記ＷＬＡＮ地域の詳細情報を含むことを特徴とする、請求項６に記載の方法。
【請求項９】
前記ＷＬＡＮ地域の周波数情報、識別子及びシステム識別子を含む前記ＷＬＡＮ地域の詳細情報を、前記ＷＬＡＮ地域をカバーする送信電力でビームフォーミングを用いて伝送するステップをさらに含むことを特徴とする、請求項６に記載の方法。
【請求項１０】
前記システム情報は、前記ＷＬＡＮ地域の詳細情報を伝送するチャンネルのコード情報を含むことを特徴とする、請求項９に記載の方法。
【請求項１１】
ＷＬＡＮインターワーキングのための移動通信ネットワークにおけるＷＬＡＮ情報伝送方法であって、
セル内のＷＬＡＮ地域の位置が前記セルに提供される基地局(ノードＢ)と比較して、方向性及び距離性を持っているか否かを確認するステップと、
前記方向性及び距離性の特性を全部持っていない場合、前記セル内に前記ＷＬＡＮ地域が存在することを示すＷＬＡＮスキャニング指示情報をシステム情報に設定するステップと、
前記システム情報をセル内にブロードキャストするステップとを含むことを特徴とする、方法。
【請求項１２】
ＷＬＡＮインターワーキングのための移動通信ネットワークにおけるＷＬＡＮ情報の受信方法であって、
セル内にブロードキャストされるシステム情報を受信し、前記セル内にＷＬＡＮ地域が存在するか否かを判断するためのＷＬＡＮしきい値、第２の共通パイロットチャンネルのコード情報及び測定周期が、前記システム情報内に含まれているか否かをチェックするステップと、
前記システム情報に前記ＷＬＡＮしきい値だけが含まれている場合、第１の共通パイロットチャンネルを測定し、前記測定結果が前記ＷＬＡＮしきい値を超過するか否かをチェックするステップと、
前記システム情報に前記第２の共通パイロットチャンネルのコード情報、前記測定周期及び前記ＷＬＡＮしきい値が全部含まれている場合、前記第２の共通パイロットチャンネルを測定し、前記測定結果が前記ＷＬＡＮしきい値を超過するか否かをチェックするステップと、
前記第１の共通パイロットチャンネル又は前記第２の共通パイロットチャンネルの測定結果が、前記ＷＬＡＮしきい値を超過する場合、ＷＬＡＮスキャニングを遂行するステップを含むことを特徴とする、方法。
【請求項１３】
前記セル内にＷＬＡＮ地域が存在することを示すＷＬＡＮスキャニング指示情報が、前記システム情報内に含まれているか否かをチェックするステップと、
前記ＷＬＡＮスキャニング指示情報が前記システム情報に含まれている場合、ＷＬＡＮスキャニングを遂行するステップとをさらに含むことを特徴とする、請求項１２に記載の方法。
【請求項１４】
ＷＬＡＮインターワーキングのための移動通信ネットワークにおけるＷＬＡＮ情報送受信装置であって、
セル内のＷＬＡＮ地域が存在するか否かを判断するためのＷＬＡＮしきい値及び測定周期をシステム情報に設定し、前記システム情報をセル内にブロードキャストし、前記セル内に前記ＷＬＡＮ地域が存在することを示す共通パイロットチャンネルを、前記ＷＬＡＮ地域をカバーする送信電力及び方向にビームフォーミングを用いて伝送する無線網制御機と、
前記システム情報を受信し、前記システム情報内にＷＬＡＮしきい値、共通パイロットチャンネルのコード情報及び測定周期が含まれているか否かをチェックし、前記システム情報に前記第２の共通パイロットチャンネルのコード情報、測定周期及びＷＬＡＮしきい値が全部含まれている場合、前記共通パイロットチャンネルを測定して前記測定結果が前記ＷＬＡＮしきい値を超過するか否かをチェックし、前記共通パイロットチャンネルの測定結果が前記ＷＬＡＮしきい値を超過する場合、前記ＷＬＡＮスキャニングを遂行する端末とからなることを特徴とする、装置。
【請求項１５】
前記端末は、前記セル内にＷＬＡＮ地域が存在することを示すＷＬＡＮスキャニング指示情報が、前記システム情報に含まれているか否かをチェックし、前記ＷＬＡＮスキャニング指示情報が前記システム情報に含まれている場合、ＷＬＡＮスキャニングを遂行することを特徴とする、請求項１４に記載の装置。
【請求項１６】
前記システム情報は、ＷＬＡＮスキャニング指示情報が伝送される前記共通パイロットチャンネルのコード情報及び前記共通パイロットチャンネルの測定周期をさらに含むことを特徴とする、請求項１４に記載の装置。
【請求項１７】
前記システム情報は、前記ＷＬＡＮ地域の周波数情報、識別子及びシステム識別子を含む前記ＷＬＡＮ地域の詳細情報を含むことを特徴とする、請求項１４に記載の装置。
【請求項１８】
前記無線網制御機は、前記ＷＬＡＮ地域の周波数情報、識別子及びシステム識別子を含む前記ＷＬＡＮ地域の詳細情報を、前記ＷＬＡＮ地域をカバーする送信電力及び方向性でビームフォーミングを用いて伝送することを特徴とする、請求項１４に記載の装置。
【請求項１９】
前記システム情報は、前記ＷＬＡＮ地域の詳細情報を伝送するチャンネルのコード情報をさらに含むことを特徴とする、請求項１８に記載の装置。
【請求項２０】
ＷＬＡＮインターワーキングのための移動通信ネットワークにおけるＷＬＡＮ情報送受信装置であって、
セル内のＷＬＡＮ地域が存在するか否かを判断するためのＷＬＡＮしきい値をシステム情報に設定し、前記システム情報をセル内にブロードキャストし、前記セル内に前記ＷＬＡＮ地域が存在することを示す共通パイロットチャンネルを前記ＷＬＡＮ地域をカバーする送信電力及び方向にビームフォーミングを用いて伝送する無線網制御機と、
前記システム情報を受信し、前記システム情報内にＷＬＡＮしきい値、第２の共通パイロットチャンネルのコード情報及び測定周期が含まれているか否かをチェックし、前記システム情報に前記ＷＬＡＮしきい値だけが含まれている場合、前記セルを識別するために使用する第１の共通パイロットチャンネルを測定し、前記測定結果が前記ＷＬＡＮしきい値を超過するか否かをチェックし、前記第１の共通パイロットチャンネルの測定結果が前記ＷＬＡＮしきい値を超過する場合、前記ＷＬＡＮスキャニングを遂行する端末とからなることを特徴とする、装置。
【請求項２１】
前記端末は、前記セル内にＷＬＡＮ地域が存在することを示すＷＬＡＮスキャニング指示情報が含まれているか否かをチェックし、前記ＷＬＡＮスキャニング指示情報が含まれている場合、ＷＬＡＮスキャニングを遂行することを特徴とする、請求項２０に記載の装置。
【請求項２２】
前記システム情報は、ＷＬＡＮスキャニング指示情報が伝送される前記共通パイロットチャンネルのコード情報及び前記共通パイロットチャンネルの測定周期をさらに含むことを特徴とする、請求項２０に記載の装置。
【請求項２３】
前記システム情報は、前記ＷＬＡＮ地域の周波数情報、識別子及びシステム識別子を含む前記ＷＬＡＮ地域の詳細情報を含むことを特徴とする、請求項２０に記載の装置。
【請求項２４】
前記無線網制御機は、前記ＷＬＡＮ地域の周波数情報、識別子及びシステム識別子を含む前記ＷＬＡＮ地域の詳細情報を、前記ＷＬＡＮ地域をカバーする送信電力及び方向性でビームフォーミングを用いて伝送することを特徴とする、請求項２０に記載の装置。
【請求項２５】
前記システム情報は、前記ＷＬＡＮ地域の詳細情報を伝送するチャンネルのコード情報をさらに含むことを特徴とする、請求項２４に記載の装置。
【発明の詳細な説明】
【技術分野】
【０００１】
本発明は、移動通信ネットワーク及びＷＬＡＮ(Wireless Local Area Network)のインターワーキング(Interwoking)に関し、特に、移動通信ネットワークにおけるＷＬＡＮ情報の伝送方法及び装置に関する。
【背景技術】
【０００２】
最近、携帯用コンピュータ及び移動電話機を含む携帯用電子機器の急速な発展と共に、イントラネット(Intranet)、インターネット及びＷＷＷ(World Wide Web)のような有線ネットワークに無線でアクセスするための研究が活発に進行されている。ＷＬＡＮは、低廉且つ高速に有線ネットワークに接続するための効率的な技術と知られている。一方、ＣＤＭＡ(Code Division Multiple Access)２０００、ＷＣＤＭＡ／ＵＭＴＳ(Wideband Code Division Multiple Access/Universal Mobile Telecommunications System)、ＧＰＲＳ(General Packet Radio System)及びＣＤＭＡ２０００ １ｘＥＶ−ＤＶ(Evolution Dataand Voice)のような第３世代移動通信システムは、無線チャンネルを介した高速のデータ伝送を実現させることで、端末(Mobile Station又はUser Equipment)がセルラー移動通信ネットワークを介してインターネットのようなパケット通信ネットワークに接続することを可能にした。
【０００３】
しかしながら、先端の無線アクセス技術は、その使用費用が非常に高い。したがって、移動通信ネットワーク及びＷＬＡＮをアクセスできるインターワーキング端末により、移動通信ネットワーク及びＷＬＡＮをインターワーキングさせるための研究、開発、標準活動に対する要求が増大している。このようなインターワーキングの主要目的は、低廉且つ大容量のＷＬＡＮを用いて移動通信ネットワークのサービスを提供することにある。
【０００４】
移動通信ネットワークとは異なり、ＩＥＥＥ８０２.１１系列のＷＬＡＮでは、アクセス可能なネットワークノード、すなわちアクセスポイントを追跡できる別途のページングチャンネル(Paging Channel)を使用しない。ＩＥＥＥ８０２.１１系列のインターワーキング端末がアクセス可能なアクセスポイントを検索する動作をスキャンという。ＷＬＡＮのスキャン方法には次の２種類がある。第一は、アクティブスキャンであって、端末は、近所のアクセスポイントを検索するためのプローブ信号を送出し、プローブ信号を受信したアクセスポイントはアクセスに必要な多様なパラメーターを含む応答信号により端末に応答することで、端末がアクセス可能なアクセスポイントの存在が分かる。アクティブスキャンを使用する場合、端末がアクセス可能なアクセスポイントをより速く検索できるが、端末の電力消耗が多い。第二は、パッシブスキャン(passive scan)であって、アクセスポイントは数百ｍｓごとに一度ずつビーコン(beacon)信号を周囲に伝送し、端末はビーコン信号を受信することによりアクセス可能なアクセスポイントの存在が分かる。ヒーコン信号には、端末がＷＬＡＮにアクセスを試みるのに必要な多様なパラメーターが含まれ、ビーコン信号を受信した端末が該アクセスポイントにアクセスを試みることができるようにする。パッシブスキャンの場合、アクティブスキャンよりも電力消費は少ないが、アクセスポイントを検索するのに時間が多くかかる。
【０００５】
ＩＥＥＥ８０２.１１系列の標準に従うＷＬＡＮの場合は、端末が接続可能なＷＬＡＮ、特に移動通信ネットワークとインターワーキング可能なＷＬＡＮを検索するのに困難さがある。すなわち、ＷＬＡＮのアクセスポイントが各々異なる周波数帯域で動作する場合、全てのアクセスポイントをスキャンするには、端末が色んな周波数チャンネルにプローブ信号を伝送したり(アクティブスキャンの場合)、色んな周波数チャンネルのビーコン信号を受信するために色んな周波数チャンネルを検索しなければならない(パッシブスキャンの場合)。これは、ＷＬＡＮを検索するのにかかる時間が増加することを意味する。前述したように、ＷＬＡＮを検索するために、端末が継続的にスキャニングを遂行する場合、端末の電力消費が大きい。
【０００６】
したがって、移動通信ネットワークでブロードキャストされるシステム情報を用いて、ＷＬＡＮが可能なセルに対してＷＬＡＮスキャニングを遂行することを指示する指示器(indicator）、又は、より速いＷＬＡＮスキャニングを遂行するために具体的なＷＬＡＮ情報(ＷＬＡＮ周波数情報やＷＬＡＮ識別子(ＳＳＩＤ：Service Set IDentifier)等)を提供できる。
【０００７】
図１は、従来の移動通信システムにおけるＷＬＡＮ−Ｉ(WLAN-interworking)に対する概要図を示す図である。
図１では、ＷＬＡＮ地域１２０を含むセル１１０に対し、ノードＢ(１００)からブロードキャストされるシステム情報を用いて、ＷＬＡＮ情報１１５を伝送することを示す。端末１０１〜１０７は、ＷＬＡＮ−Ｉが可能な端末である。ノードＢ(１００)は、ＷＬＡＮ−Ｉを行うためにセル内にＷＬＡＮ地域が存在することを示す情報１１５を端末１０１〜１０７に通報し、端末１０１〜１０７は、ＷＬＡＮのスキャニングを遂行し、ＷＬＡＮ地域１２０にハンドオーバを行うことができる。
【０００８】
ＷＬＡＮ地域１２０は、移動通信ネットワークのセル１１０に比べて非常に小さいため、ＷＬＡＮ地域１２０に近接している端末１０６を除いた残り端末１０１〜１０５、１０７がＷＬＡＮスキャニングを遂行すると、不要な電力を使用することになるという問題点がある。このような問題点は、ＷＬＡＮ地域１２０がセル１１０より小さいほど大きくなる。また、ＷＬＡＮ地域１２０は、セル内の何れか一つの地域に集中しやすいにも関わらず、異なるセル内の他の地域にある端末は不要なＷＬＡＮスキャニングを遂行して端末の電力を浪費する。また、ネットワークの側面では、セルのＷＬＡＮ地域１２０がない部分まで、すなわち、セルの全方向の境界までＷＬＡＮ情報を伝送しなければならないため、伝送電力の浪費を招くという問題点がある。
【発明の開示】
【発明が解決しようとする課題】
【０００９】
よって、本発明の目的は、移動通信ネットワークにおいて、不要な電力消耗なしに端末にＷＬＡＮ情報を効率良く伝送する方法及び装置を提供することにある。
本発明の他の目的は、セル内のＷＬＡＮが位置している方向とノードＢに対応した距離とを考慮して、セル内にＷＬＡＮが位置している地域に選別的にＷＬＡＮ−Ｉのための情報を伝送できる方法及び装置を提供することにある。
【００１０】
本発明のさらに他の目的は、ビームフォーミング(Beam forming)を用いて、ＷＬＡＮ情報伝送の方向性をハンドリング(handling)し、システム情報に使用されるものと異なる別途のコード及び伝送電力を使用して、セルに対応したＷＬＡＮの半径をハンドリングする方法及び装置を提供することにある。
【課題を解決するための手段】
【００１１】
前記目的を達成するために、本発明は、ＷＬＡＮインターワーキングのための移動通信ネットワークにおけるＷＬＡＮ情報伝送方法であって、セル内のＷＬＡＮ地域が存在するか否かを判断するためのＷＬＡＮしきい値及び測定周期をシステム情報に設定するステップと、前記システム情報をセル内にブロードキャストするステップと、前記セル内に前記ＷＬＡＮ地域が存在することを示す共通パイロットチャンネルを、前記ＷＬＡＮ地域をカバーする送信電力及び方向にビームフォーミングを用いて伝送するステップとを含むことを特徴とする。
【００１２】
また、本発明は、ＷＬＡＮインターワーキングのための移動通信ネットワークにおけるＷＬＡＮ情報伝送方法であって、セル内のＷＬＡＮ地域が存在するか否かを判断するために使用されるＷＬＡＮしきい値をシステム情報に設定するステップと、前記システム情報をセル内にブロードキャストするステップと、前記セル内に前記ＷＬＡＮ地域が存在することを示す共通パイロットチャンネルを、前記ＷＬＡＮ地域をカバーする送信電力で伝送するステップとを含むことを特徴とする。
【００１３】
また、本発明は、ＷＬＡＮインターワーキングのための移動通信ネットワークにおけるＷＬＡＮ情報伝送方法であって、セル内のＷＬＡＮ地域の位置が前記セルをカバーする基地局(ノードＢ)と比較して、方向性(directional characteristic)及び距離性(radius characteristic)を持っているか否かを確認するステップと、前記方向性及び距離性を全部持っていない場合、前記セル内に前記ＷＬＡＮ地域が存在することを示すＷＬＡＮスキャニング指示情報をシステム情報に設定するステップと、前記システム情報をセル内にブロードキャストするステップとを含むことを特徴とする。
【００１４】
また、本発明は、ＷＬＡＮインターワーキングのための移動通信ネットワークにおけるＷＬＡＮ情報受信方法であって、セル内にブロードキャストされるシステム情報を受信し、前記セル内にＷＬＡＮ地域が存在するか否かを判断するためのＷＬＡＮしきい値、第２の共通パイロットチャンネルのコード情報及び測定周期が、前記システム情報内に含まれているか否かをチェックするステップと、前記共通パイロットチャンネルのコード情報及び前記測定周期を除いた前記ＷＬＡＮしきい値だけが含まれている場合、第１の共通パイロットチャンネルを測定し、前記測定結果が前記ＷＬＡＮしきい値を超過するか否かをチェックするステップと、前記第２の共通パイロットチャンネルのコード情報、前記測定周期及び前記ＷＬＡＮしきい値が全部含まれている場合、前記第２の共通パイロットチャンネルを測定し、前記測定結果が前記ＷＬＡＮしきい値を超過するか否かをチェックするステップと、前記第１の共通パイロットチャンネル又は前記第２の共通パイロットチャンネルの測定結果が、前記ＷＬＡＮしきい値を超過する場合、ＷＬＡＮスキャニングを遂行するステップを含むことを特徴とする。
【００１５】
また、本発明は、ＷＬＡＮインターワーキングのための移動通信ネットワークにおけるＷＬＡＮ情報送受信装置であって、セル内のＷＬＡＮ地域が存在するか否かを判断するために使用されるＷＬＡＮしきい値及び測定周期をシステム情報に設定し、前記システム情報をセル内にブロードキャストし、前記セル内に前記ＷＬＡＮ地域が存在することを示す共通パイロットチャンネルを、前記ＷＬＡＮ地域をカバーする送信電力及び方向にビームフォーミングを用いて伝送する無線網制御機と、前記システム情報を受信し、前記システム情報内に前記ＷＬＡＮ地域が存在するか否かを判断するために使用されるＷＬＡＮしきい値、共通パイロットチャンネルのコード情報及び測定周期が含まれているか否かをチェックし、前記共通パイロットチャンネルのコード情報、測定周期及びＷＬＡＮしきい値が全部含まれている場合、前記共通パイロットチャンネルを測定して前記測定結果が前記ＷＬＡＮしきい値を超過するか否かをチェックし、前記共通パイロットチャンネルの測定結果が前記ＷＬＡＮしきい値を超過する場合、前記ＷＬＡＮスキャニングを遂行する端末とからなることを特徴とする。
【００１６】
また、本発明は、ＷＬＡＮインターワーキングのための移動通信ネットワークにおけるＷＬＡＮ情報送受信装置であって、セル内のＷＬＡＮ地域が存在するか否かを判断するためのＷＬＡＮしきい値をシステム情報に設定し、前記システム情報をセル内にブロードキャストし、前記セル内に前記ＷＬＡＮ地域が存在することを示す共通パイロットチャンネルを前記ＷＬＡＮ地域をカバーする送信電力及び方向にビームフォーミングを用いて伝送する無線網制御機と、前記システム情報を受信し、前記システム情報内に前記ＷＬＡＮ地域が存在するか否かを判断するために使用されるＷＬＡＮしきい値、第２の共通パイロットチャンネルのコード情報及び測定周期が含まれているか否かをチェックし、前記第２の共通パイロットチャンネルのコード情報及び前記測定周期を除いた前記ＷＬＡＮしきい値だけが含まれている場合、前記セルを識別するために使用する第１の共通パイロットチャンネルを測定し、前記測定結果が前記ＷＬＡＮしきい値を超過するか否かをチェックし、前記第１の共通パイロットチャンネルの測定結果が前記ＷＬＡＮしきい値を超過する場合、前記ＷＬＡＮスキャニングを遂行する端末とからなることを特徴とする。
【発明の効果】
【００１７】
本発明によれば、セル内のＷＬＡＮ地域の方向性とノードＢからの距離とを考慮して、セル内のＷＬＡＮ地域に近接した地域だけにＷＬＡＮ情報を局部的に伝送できるようにする。これにより、端末は、ＷＬＡＮスキャニング作業の開始を最適化し、また、ネットワークの側面においてＷＬＡＮ情報を全体セル内に伝送する必要がないので、端末の伝送電力を節約できる。
【発明を実施するための最良の形態】
【００１８】
以下、本発明の好適な実施形態について添付図面を参照しながら詳細に説明する。なお、下記の説明において、本発明の要旨のみを明瞭にするために、公知の機能や構成についての具体的な説明は適宜省略する。また、後述される用語は、本発明の機能を考慮して定義されたもので、これは、ユーザーや運用者の意図又は慣例などによって変化し得るため、本明細書の全般に渡った内容に基づいて定義されるべきである。
【００１９】
図２は、本発明の一実施形態によるＷＬＡＮ情報伝送方法を示す図である。
これは、セル内のＷＬＡＮ地域２２０がノードＢ(２００)を基準として方向性を持って位置する時の実施例である。
図２では、セル２１０内のＷＬＡＮが位置している地域２２０の方向とノードＢ(２００)からの距離とを考慮して、セル２１０内にＷＬＡＮが位置している地域２２０に選別的にＷＬＡＮ−Ｉのための情報(以下、「ＷＬＡＮ情報」と称する。)２２５が伝送される。
【００２０】
端末２０１〜２０７は、ＷＬＡＮ−Ｉが可能な端末を示す。セル内のＷＬＡＮ地域２２０は、一方向、すなわち２時方向に位置する。したがって、ノードＢ(２００)は、全体のセル２１０内に全方向にＷＬＡＮ情報を伝送する必要がない。
仮に、ノードＢ(２００)が端末２０６にＷＬＡＮ地域２２０の具体的な情報(ＷＬＡＮ周波数情報やＷＬＡＮ識別子(ＳＳＩＤ)等)の代りに、ＷＬＡＮスキャニングの開始だけを報知する場合、ノードＢ(２００)は、特定の第２の共通パイロットチャンネル(Secondary Common Pilot Channel、以下、「Ｓ−ＣＰＩＣＨ」と称する。)２２５を介してビームフォーミング方式にてＷＬＡＮスキャニングの開始を報知するＷＬＡＮスキャニング指示情報(WLAN scanning indication)を伝送(carry)する。
【００２１】
Ｓ−ＣＰＩＣＨ(２２５)は、セル境界線まで伝送する必要がなく、Ｓ−ＣＰＩＣＨ(２２５)の伝送に必要な電力は、ＷＬＡＮ地域２２０のノードＢ(２００)からの距離により設定される。端末２０６は、セル内においてＷＬＡＮスキャニングを常に遂行することなく、Ｓ−ＣＰＩＣＨの測定を周期的に遂行しながら、Ｓ−ＣＰＩＣＨの測定結果が充分な場合、ＷＬＡＮスキャニング指示情報を検出したと判断して、ＷＬＡＮスキャニングを遂行する。
【００２２】
本発明の実施形態を支援するために、ＷＬＡＮスキャニング指示情報の役割を遂行するＳ−ＣＰＩＣＨのチャンネルコード及びスクランブルコードは、セル内でシステム情報２１５を用いて伝送される。現在、３ＧＰＰ標準では、ＳＦ(Spreading Factor)２５６のコードをチャンネルコードとして使用して、１５個の第２のスクランブルコードの一つを使用することができる。よって、端末２０６がセル内のＷＬＡＮ地域２２０に伝送されるＷＬＡＮ指示用Ｓ−ＣＰＩＣＨを解読するために、ノードＢ(２００)はセル内のブロードキャストされるシステム情報２１５を介してＳ−ＣＰＩＣＨに使用されるチャンネルコード及びスクランブルコードを報知する。チャンネルコード及びスクランブルコードは、当該インデックスに報知したり、或いは、１５個の第２のスクランブルコードの以外のスクランブルコードを使用する場合、当該コードを明示的に報知できる。また、ノードＢ(２００)は、端末２０６がＷＬＡＮ用Ｓ−ＣＰＩＣＨを測定し、測定結果が充分であるか否かを判断するために、しきい値(ＷＬＡＮ＿ｏｆｆｓｅｔ)及びＳ−ＣＰＩＣＨの測定を遂行する周期値(ＷＬＡＮ＿ｔｉｍｅｒ)も、システム情報２１５を用いて設定することができる。
【００２３】
他の場合、ノードＢ(２００)がＷＬＡＮ地域２２０の具体的な情報(ＷＬＡＮ周波数情報やＷＬＡＮ識別子(ＳＳＩＤ)等)を含むＷＬＡＮ情報を報知する場合、ＷＬＡＮ情報は、特定コードを用いてＳ−ＣＰＩＣＨ(２２５)と共にＷＬＡＮ地域２２０に伝送される。ＷＬＡＮ情報は、ビームフォーミングを用いてＷＬＡＮ地域２２０に到達するが、最小限の電力で伝送される。このとき、システム情報２１５は、ＷＬＡＮ情報２２５が伝送されるチャンネルに対する情報をＳ−ＣＰＩＣＨ情報と共に含む。端末２０６は、まず、Ｓ−ＣＰＩＣＨ(２２５)を受信し、Ｓ−ＣＰＩＣＨ(２２５)の受信強度が充分であると、システム情報２１５に含まれているチャンネル情報によってＷＬＡＮ情報を受信する。
【００２４】
さらに他の場合、ノードＢ(２００)は、ＷＬＡＮ地域２２０に対する具体的なＷＬＡＮ情報、すなわち、ＷＬＡＮ周波数情報やＷＬＡＮ識別子(ＳＳＩＤ)等をシステム情報２１５を用いて端末に報知し、ＷＬＡＮスキャニング指示情報をＳ−ＳＣＰＩＣＨを介して伝送できる。
【００２５】
図３は、本発明の一実施形態によるＷＬＡＮ情報伝送方法を示す図である。図３は、セル内のＷＬＡＮ地域３２０の位置が、ノードＢ(３００)を基準として方向性はないが、ノードＢ(３００)の近所にある時に適用する実施例である。
【００２６】
端末３０１〜３０７は、ＷＬＡＮ−Ｉが可能な端末を示す。ＷＬＡＮ地域３２０の位置が方向性を持っていないため、ノードＢ(３００)は、ビームフォーミング方法を使用する必要がない。ＷＬＡＮ地域３２０の位置がノードＢ(３００)の近所に位置しているため、システム情報３１５を用いてセル３１０内の全ての端末にＷＬＡＮスキャニングを遂行することをノードＢ(３００)が指示すると、端末３０２を除いた残り端末は、不要にＷＬＡＮスキャニングを遂行して、残り端末の電力を浪費することになる。したがって、図３において、ノードＢ(３００)は、方向性によるビームフォーミング方法は使用せず、ＷＬＡＮ地域３２０及びノードＢ(３００)間の距離を基準としてＷＬＡＮスキャニング指示情報をＳ−ＣＰＩＣＨ(３２５)を介して少ない電力で伝送する。
【００２７】
よって、ＷＬＡＮスキャニング指示情報用Ｓ−ＣＰＩＣＨのコード情報であるＷＬＡＮ＿ｏｆｆｓｅｔやＷＬＡＮ＿ｔｉｍｅｒなどの情報は、システム情報３１５を用いて端末３０１〜３０７に通報され、Ｓ−ＣＰＩＣＨ(３２５)はビームフォーミングを使用する必要がなく、全方向に対して低い送信電力で伝送できる。これにより、端末３０２の以外の端末３０１、３０３〜３０７は、Ｓ−ＣＰＩＣＨ(３２５)に対して測定結果が充分でなく、ＷＬＡＮスキャニングを遂行しない。仮に、ノードＢ(３００)がＷＬＡＮ(３２０)の具体的な情報(ＷＬＡＮ周波数情報やＷＬＡＮ識別子(ＳＳＩＤ)等)を含むＷＬＡＮ情報を報知する場合、ノードＢ(３００)は、特定チャンネルを介してＷＬＡＮ情報を伝送したり、或いは、システム情報３１５にＷＬＡＮ情報を載せて伝送する。
【００２８】
本発明の他の実施形態として、図３に示すように、ＷＬＡＮ地域３２０の位置がノードＢ(３００)を基準として方向性がない場合、ノードＢ(３００)は、Ｓ−ＣＰＩＣＨなしにＷＬＡＮ＿ｏｆｆｓｅｔ値だけを用いて端末３０２のみにＷＬＡＮスキャニングを遂行するようにし、ＷＬＡＮ地域３２０と遠く離れている他の端末３０１、３０３〜３０７にＷＬＡＮスキャニングを遂行しないようにする。このとき、ノードＢ(３００)は、ＷＬＡＮスキャニング指示情報用Ｓ−ＣＰＩＣＨを別に設定しないが、ＷＬＡＮ＿ｏｆｆｓｅｔ値を適切に設定してシステム情報３１５を介して伝送する。また、端末３０２は、ＷＬＡＮ＿ｏｆｆｓｅｔ値を一般のパイロットチャンネルであるＰ−ＣＰＩＣＨの測定結果に対するしきい値として使用する。また、ノードＢ(３００)は、ＷＬＡＮスキャニング指示情報又は具体的なＷＬＡＮ情報はシステム情報を介して伝送する。
【００２９】
図４Ａ及び図４Ｂは、本発明の一実施形態によるＲＮＣ(Radio Network Controler)の動作を示すフローチャートである。ここで、図４Ａはシステム情報を伝送する動作であり、図４Ｂはパイロットを伝送する動作である。
【００３０】
図４Ａによれば、段階Ｓ４０１においてＷＬＡＮ−Ｉシステム情報を初期化する。ＲＮＣは、段階Ｓ４０２においてＷＬＡＮ地域がセル内で方向性なしに距離性だけを持っているか否かをチェックする。仮に、ＷＬＡＮ地域がセル内で距離性だけを持っている場合、ＲＮＣは、段階Ｓ４１１においてＰ−ＣＰＩＣＨのしきい値として適用するＷＬＡＮ＿ｏｆｆｓｅｔ値をシステム情報に設定する。一方、ＷＬＡＮ地域がセル内で距離性だけを持っていない場合、ＷＬＡＮ地域の方向性を判断するために段階Ｓ４０３に進行する。
【００３１】
段階Ｓ４０３においてＷＬＡＮ地域がセル内で方向性を持っている場合、ＲＮＣは、システム情報内にＷＬＡＮスキャニング指示情報を伝送するＳ−ＣＰＩＣＨを設定し、Ｓ−ＣＰＩＣＨのしきい値として適用するＷＬＡＮ＿ｏｆｆｓｅｔを設定し、Ｓ−ＣＰＩＣＨ測定の周期値であるＷＬＡＮ＿ｔｉｍｅｒを設定する。一方、段階Ｓ４０３においてＷＬＡＮ地域がセル内で方向性を持っていない場合、これは、ＷＬＡＮ地域がセル内で方向性及び距離性を全部持っていないことを示す。これは、セル内にＷＬＡＮ地域が複数存在し、ＷＬＡＮ地域がセル内に不規則に提供されている場合に発生し得る。したがって、ＲＮＣは、段階Ｓ４０４においてシステム情報にＷＬＡＮスキャニング指示情報を設定し、段階Ｓ４１２に進行する。
【００３２】
段階Ｓ４１２においては、段階Ｓ４１１、段階Ｓ４２１及び段階Ｓ４０４において設定したシステム情報がセル内にブロードキャストされる。
図４Ｂによれば、ＲＮＣは、段階Ｓ４１３においてＷＬＡＮ地域がセル内で距離性だけを持っているか否かをチェックし、距離性だけを持っている場合、Ｓ４３１において特定アクションは要求されない。
【００３３】
一方、段階Ｓ４１３において距離性だけを持っているものではない場合、段階Ｓ４１４に進行する。ＲＮＣは、段階Ｓ４１４においてＷＬＡＮ地域が方向性だけを持っているか否かをチェックし、方向性だけを持っている場合、段階Ｓ４４１においてＷＬＡＮスキャニング指示情報がＳ−ＣＰＩＣＨを介してＷＬＡＮ地域をカバーする方向にビームフォーミングを用いて伝送される。一方、段階Ｓ４１４において方向性だけを持っているものではない場合、段階Ｓ４１５に進行する。
【００３４】
ＲＮＣは、段階Ｓ４１５においてＷＬＡＮ地域がセル内で方向性及び距離性を全部持っているか否かをチェックし、方向性及び距離性を全部持っている場合、段階Ｓ４５１においてＷＬＡＮスキャニング指示情報がＳ−ＣＰＩＣＨを介してＷＬＡＮ地域をカバーする方向に少ない送信電力でビームフォーミングを用いて伝送され、ＲＮＣは、方向性及び距離性を全部持っていない場合、段階Ｓ４６１において特定アクションは要求されない。
【００３５】
図５は、本発明の一実施形態による端末の動作を示すフローチャートである。
図５によれば、端末は、段階Ｓ５０１においてセル内のシステム情報を読み取り、段階Ｓ５０２においてシステム情報内にＷＬＡＮスキャニング指示情報が含まれているか否かをチェックする。段階Ｓ５０２においてシステム情報内にＷＬＡＮスキャニング指示情報が、含まれている場合は段階Ｓ５０３においてＷＬＡＮスキャニングを遂行し、含まれていない場合は段階Ｓ５１１においてＷＬＡＮ＿ｏｆｆｓｅｔのみがシステム情報に含まれているか否かをチェックする。端末は、段階Ｓ５１１においてＷＬＡＮ＿ｏｆｆｓｅｔのみが含まれている場合は段階Ｓ５１２においてＰ−ＣＰＩＣＨを測定し、段階Ｓ５１３においてＰ−ＣＰＩＣＨの測定結果がＷＬＡＮ＿ｏｆｆｓｅｔより大きい値を有しているか否かをチェックする。端末は、測定結果がＷＬＡＮ＿ｏｆｆｓｅｔより大きい値を有している場合は段階Ｓ５３１においてＷＬＡＮスキャニングを開始し、大きい値を有しているものではない場合は段階Ｓ５１２に戻る。
【００３６】
段階Ｓ５１１において、端末は、システム情報にＷＬＡＮ＿ｏｆｆｓｅｔだけが含まれているものではない場合、段階Ｓ５２１においてシステム情報にＷＬＡＮスキャニング指示情報用として使用されるＳ−ＣＰＩＣＨ情報、ＷＬＡＮ＿ｏｆｆｓｅｔ、ＷＬＡＮ＿ｔｉｍｅｒ情報が全部含まれているか否かを確認する。端末は、このような情報が全部含まれている場合、段階Ｓ５４１においてＳ−ＣＰＩＣＨの測定を遂行し、このような情報が全部含まれているものではない場合、段階Ｓ５２２においてＷＬＡＮのためのセルやＷＬＡＮ−Ｉのための領域が存在しないと判断する。
【００３７】
端末は、段階Ｓ５４２においてＳ−ＣＰＩＣＨの測定結果がＷＬＡＮ＿ｏｆｆｓｅｔより大きい値を有しているか否かをチェックする。段階Ｓ５４２において大きい値を有している場合、段階Ｓ５５１においてＷＬＡＮスキャニングを開始し、大きい値を有しているものではない場合、段階Ｓ５４３においてＷＬＡＮ＿ｔｉｍｅｒだけ待機し、再度段階Ｓ５４１に戻る。
【００３８】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００３９】
【図１】従来の移動通信システムにおけるＷＬＡＮ−Ｉに対する概要図を示す図である。
【図２】本発明の一実施形態によるＷＬＡＮ情報伝送方法を示す図である。
【図３】本発明の一実施形態によるＷＬＡＮ情報伝送方法を示す図である。
【図４Ａ】本発明の一実施形態によるＲＮＣの動作を示すフローチャートである。
【図４Ｂ】本発明の一実施形態によるＲＮＣの動作を示すフローチャートである。
【図５】本発明の一実施形態による端末の動作を示すフローチャートである。
【符号の説明】
【００４０】
２００  ノードＢ
２０１〜２０７  端末
２１０  セル
２１５  システム情報
２２０  ＷＬＡＮ地域
２２５  ＷＬＡＮ情報又は第２の共通パイロットチャンネル(Ｓ−ＣＰＩＣＨ)
【図１】
2008508832.tif 000003
【図２】
2008508832.tif 000004
【図３】
2008508832.tif 000005
【図４Ａ】
2008508832.tif 000006
【図４Ｂ】
2008508832.tif 000007
【図５】
2008508832.tif 000008
【国際調査報告】
2008508832.tif 000009
2008508832.tif 000010